【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
個人の選択運動動作の分析及び改善のためのコンピュータを用いたシステムであって、
データ入力及びデータ出力の手段、及びカラーの表示装置を有し、ソフトウェアを実行する処理コンピュータと、
前記処理コンピュータとデータ通信する複数の慣性センサと、
前記慣性センサを前記個人の身体の所定ポイントに近接して保持できるように取り付け可能であり、身体に前記センサを干渉しないように装着するよう構成された装身可能器具と、
動作中の前記個人を撮したビデオ信号を生成するために、前記処理コンピュータと通信するビデオカメラと、
を備え、
前記処理コンピュータは、前記ソフトウェアを実行することにより、
前記慣性センサからのデータを処理して、前記選択運動動作の所定の成分の所定のパラメータに関連する動作データを算出するように構成され、更に、
前記ビデオ信号と、少なくとも一つの色分けされた身体区画の前記動作を表す前記慣性センサからのデータから得られた多色三次元アニメーションと、前記動作の少なくとも一つの前記パフォーマンスパラメータの時間に基づくグラフとを、複合的組み合わせとして構成して前記表示装置に表示するように構成された
コンピュータを用いたシステム。
【請求項２】
前記慣性センサは、無線データトランスミッタを内蔵し、前記コンピュータに基づく動作分析システムは、更に、前記処理コンピュータと通信する無線データレシーバを備える請求項１の選択運動動作の分析及び改善のためのコンピュータを用いたシステム。
【請求項３】
前記選択運動動作は、関連用具の操作を必要とするものであり、前記個人は、前記個人と前記関連用具とを組み合わせて含む請求項１の選択運動動作の分析及び改善のためのコンピュータを用いたシステム。
【請求項４】
前記個人は、ゴルフクラブを有するゴルファを含み、前記運動動作は、ゴルフスイング動作である請求項１の選択運動動作の分析及び改善のためのコンピュータを用いたシステム。
【請求項５】
前記ソフトウェアは、更に、試験の前に、選択された前記動作成分に対する所望の動作限界の入力を受け付け、前記アニメーションを前記内において、前記動作限界を表し、内部において前記身体区画が可視となる三次元ケージと共に生成するように構成される請求項１の選択運動動作の分析及び改善のためのコンピュータを用いたシステム。
【請求項６】
前記ソフトウェアは、更に、前記動作限界を超える動作の発生時に前記表示内の選択色を変更するように構成される請求項５の選択運動動作の分析及び改善のためのコンピュータを用いたシステム。
【請求項７】
前記ソフトウェアは、更に、選択された前記パラメータについて、前記動作データ試験値を、同じパラメータの所定の基準値と比較し、そこからの偏差の度合いを決定すると共に、選択パラメータの前記試験値と前記基準値とを時間に基づくグラフ上で同時に表示するように構成される請求項１の選択運動動作の分析及び改善のためのコンピュータを用いたシステム。
【請求項８】
前記ソフトウェアは、更に、前記試験値及び前記基準値から、各前記選択パラメータの得点を計算するように構成される請求項７の選択運動動作の分析及び改善のためのコンピュータを用いたシステム。
【請求項９】
前記ソフトウェアは、更に、前記運動動作の合計パフォーマンス値を表す単一の得点を求めるために、前記選択パラメータの前記得点を所定の式により組み合わせるように構成される請求項８の選択運動動作の分析及び改善のためのコンピュータを用いたシステム。
【請求項１０】
前記ソフトウェアは、更に、それぞれの前記パラメータの前記基準値からの前記偏差の量に基づいて、所定のトレーニング用具リストに関連する運動の所定のリストから選択されたトレーニング運動の体系を規定するように構成される請求項７の選択運動動作の分析及び改善のためのコンピュータを用いたシステム。
【請求項１１】
前記ソフトウェアは、前記試験の前に、前記個人の利用可能なトレーニング時間を定義する入力を受け付けるように構成され、前記トレーニング練習により規定された頻度及び期間の長さは、前記利用可能なトレーニング時間により指定されかつ限定される請求項１０の選択運動動作の分析及び改善のためのコンピュータを用いたシステム。
【請求項１２】
前記センサは、センサ筐体内で積層トポロジを有し、電池は、前記筐体の底部に近接すると共に形状が一致し、センサ要素及び電子回路は、前記筐体内で前記電池の上方に位置決めされる請求項２の選択運動動作の分析及び改善のためのコンピュータを用いたシステム。
【請求項１３】
前記センサ及び前記器具は、前記器具において前記センサを同一の配向性で同一の場所に均一に反復して取り付け可能となる、対応性のあるキーを備えた接合構造を有する請求項１の選択運動動作の分析及び改善のためのコンピュータを用いたシステム。
【請求項１４】
更に、コンピュータデータベースとの接続を備え、前記ソフトウェアは、前記動作データを保存し、後の再処理及び再生用に利用可能とするように構成される請求項１の選択運動動作の分析及び改善のためのコンピュータを用いたシステム。
【請求項１５】
更に、コンピュータデータベースとの接続を備え、前記ソフトウェアは、前記ビデオ表示を保存し、後の再生用に利用可能とするように構成される請求項１の選択運動動作の分析及び改善のためのコンピュータを用いたシステム。
【請求項１６】
更に、コンピュータネットワークとの接続を備え、前記ソフトウェアは、前記コンピュータネットワークを介してアクセスを行い、アクセスを受けるように構成される請求項１の選択運動動作の分析及び改善のためのコンピュータを用いたシステム。
【請求項１７】
前記ソフトウェアは、前記動作データから、多色三次元段階フレームアニメーションを生成するように構成され、動作中のオブジェクトの選択位置は、前記アニメーションの後続フレームにおいて保持され、運動軌道が閲覧者に明らかとなり、前記保持位置は、動作中の前記オブジェクトの時間、位置、速度、及び加速度で構成された基準の集合から選択された基準に基づいて選択される請求項１の選択運動動作の分析及び改善のためのコンピュータを用いたシステム。
【請求項１８】
ゴルフクラブをスイングするゴルファのゴルフスイング動作の分析及び改善のためのコンピュータに基づくシステムであって、
関連ソフトウェア、データ入力及びデータ出力の手段、コンピュータデータベースへの接続、コンピュータネットワークへ接続する手段、及びコンピュータ駆動表示画面を有する処理コンピュータと、
前記処理コンピュータと無線手段によりデータ通信する多数の慣性センサと、
前記センサをゴルファの身体の所定ポイントに近接して保持できるように取り付け可能である、前記ゴルファの身体への非干渉装着用に構成された装身可能器具と、
動作中の前記ゴルファーを撮したビデオ信号を生成するために、前記処理コンピュータと通信する少なくとも一台のビデオカメラと、を備え、
前記ソフトウェアは、慣性センサデータを処理して、前記選択運動動作の所定の成分の所定のパラメータに関連する動作データにするように構成され、更に、前記ビデオ信号と、少なくとも一つの色分け身体区画の前記動作を表す前記慣性センサからのデータから得られた多色三次元アニメーションと、前記動作の多数の選択された前記パフォーマンスパラメータの時間に基づくグラフとが、複合的組み合わせとして構成の一つに含まれる、多数の選択可能な構成の表示を生成するように構成され、
前記ソフトウェアは、更に、試験の前に、選択された前記動作成分に対する所望の動作限界の入力を受け付け、前記アニメーションを前記内において、前記動作限界を表し、内部において前記身体区画が可視となる三次元ケージと共に生成するように構成され、
前記ソフトウェアは、更に、前記動作限界を超える動作の発生時に前記表示内の選択色を変更するように構成され、
前記ソフトウェアは、更に、選択された前記パラメータについて、前記動作データ試験値を、同じパラメータの所定の基準値と比較し、そこからの偏差の度合いを決定すると共に、選択パラメータの前記試験値と前記基準値とを時間に基づくグラフ上で同時に表示するように構成され、
前記ソフトウェアは、更に、前記試験値及び前記基準値から、各前記選択パラメータの得点を計算すると共に、前記運動動作の合計パフォーマンス値を表す単一の得点を求めるために、前記選択パラメータの前記得点を所定の式により組み合わせるように構成され、
前記ソフトウェアは、更に、それぞれの前記パラメータの前記基準値からの前記偏差の量に基づいて、所定のトレーニング用具リストに関連する運動の所定のリストから選択されたトレーニング運動の体系を規定するように構成され、
前記ソフトウェアは、前記試験の前に、前記ゴルファの利用可能なトレーニング時間を定義する入力を受け付けるように構成され、前記トレーニング練習により規定された頻度及び期間の長さは、前記利用可能なトレーニング時間により指定されかつ限定され、
前記ソフトウェアは、前記動作データを前記データベースに保存し、後の再処理及び再生用に前記動作データを利用可能とするように構成され、
前記ソフトウェアは、前記コンピュータネットワークを介して他のコンピュータにアクセスし、他のコンピュータからアクセスされるように構成される
コンピュータを用いたシステム。
【請求項１９】
前記センサは、センサ筐体内で積層トポロジを有し、電池は、前記筐体の底部に近接すると共に形状が一致し、センサ要素及び電子回路は、前記筐体内で前記電池の上方に配置された請求項１８の選択運動動作の分析及び改善のためのコンピュータを用いたシステム。
【請求項２０】
前記ソフトウェアは、試験場所に対する、動作の参照点からの所定の角度、高さ、仰角、及びオフセットによるカメラの配置により事前に決定された前記ビデオ表示上の位置において、前記ビデオ表示に基準線を重ねるように構成される請求項１８のゴルフスイング動作の分析及び改善のためのコンピュータを用いたシステム。
【請求項２１】
個人の選択運動動作の分析及び改善のための方法であって、
処理コンピュータと、慣性センサと、ビデオカメラと、カラーの表示装置とを備えるコンピュータに基づく動作分析システムを使用するステップと、
前記個人に取り付けた多数の当該慣性センサと、当該個人に向けた当該カメラとにより、当該運動動作の実行をモニタするステップと、
当該運動動作の実行中に当該センサからのセンサデータ及び当該カメラからのビデオ信号を収集するステップと、
当該センサデータを処理して、前記運動動作の所定の選択成分の所定の選択パフォーマンスパラメータを表す動作データにすることで、前記センサデータを分析するステップと、
前記運動動作を撮したビデオ信号と、少なくとも一つの色分けされた身体区画の前記動作を表す前記慣性センサからのデータから得られた多色三次元アニメーションと、当該動作の少なくとも一つの当該パフォーマンスパラメータの時間に基づくグラフとを、複合的組み合わせとして構成して前記表示装置に表示する形態で、前記分析するステップの結果を報告するステップと
を備える方法。